(57)【要約】【課題】２次元バーコードのようなものを採用せず、印刷媒体のターゲット画像により動画データを指定してダウンロードが可能となるようにした動画配信システムを提供する。【解決手段】コンテンツ提供者により任意に定めたターゲット画像が付帯された動画データを受信して蓄積する動画データベースを備えた動画配信サーバと、前記動画配信サーバが受信した動画データの容量に基づいて課金高を算定する課金処理サーバと、前記動画データに付帯されたターゲット画像を画像解析し、該ターゲット画像に対して識別ＩＤを付与する画像管理サーバとを備え、エンドユーザが携帯移動端末のカメラにより読み取ったターゲット画像に基づいて、当該携帯移動端末で動画の再生が可能となるようにする。【選択図】図１
2014045468.tif 000002
【特許請求の範囲】
【請求項１】
コンテンツ提供者により任意に定めたターゲット画像を付帯した動画データを受信して蓄積する動画データベースを備えた動画配信サーバと、該動画配信サーバが受信した動画データの容量に基づいて課金高を算定する課金処理サーバと、前記動画データに付帯されたターゲット画像を画像解析して得られた解析画像と前記動画データに共通の識別ＩＤを付与して紐付けし、前記解析画像とこれに紐付けされた識別ＩＤを解析画像データベースに蓄積する画像管理サーバとを備え、
不特定のエンドユーザが携帯移動端末を前記画像管理サーバにＵＲＬ接続するとともに、該携帯移動端末に内蔵されたカメラにより前記コンテンツ提供者が配布した印刷媒体などに付された前記ターゲット画像を撮像して前記画像管理サーバへ送信したとき、該画像管理サーバが当該ターゲット画像を画像分析して得られた識別ＩＤおよび前記動画配信サーバのＵＲＬを前記エンドユーザの携帯移動端末へ返送することにより、該エンドユーザの携帯移動端末が動画配信サーバのＵＲＬに切り替えて接続し、前記識別ＩＤに紐付けられた動画データを動画配信サーバに要求することにより、該動画配信サーバからアクセス元である前記エンドユーザの携帯移動端末へ当該動画データを送信して動画の再生が可能となるようにしたことを特徴とする動画配信システム。
【請求項２】
コンテンツ提供者により任意に定めたターゲット画像を付帯した動画データを受信して蓄積する動画データベースを備えた動画配信サーバと、該動画配信サーバが受信した動画データの容量に基づいて課金高を算定する課金処理サーバと、前記動画データに付帯されたターゲット画像を画像解析して得られた解析画像と前記動画データに共通の識別ＩＤを付与して紐付けし、前記解析画像とこれに紐付けされた識別ＩＤを解析画像データベースに蓄積する画像管理サーバとを備え、
不特定のエンドユーザが携帯移動端末を前記画像管理サーバにＵＲＬ接続するとともに、該携帯移動端末に内蔵されたカメラにより前記コンテンツ提供者が配布した印刷媒体などに付された前記ターゲット画像を撮像して前記画像管理サーバに送信したとき、該画像管理サーバが当該ターゲット画像を画像分析して得られた識別ＩＤを動画配信サーバへ送信して前記識別ＩＤに紐付けられた動画データを動画配信サーバに要求することにより、画像管理サーバを介してアクセス元である前記エンドユーザの携帯移動端末へ当該動画データを送信して動画の再生が可能となるようにしたことを特徴とする動画配信システム。
【請求項３】
コンテンツ提供者により任意に定めたターゲット画像を付帯した動画データを受信して蓄積する動画データベースを備えた動画配信サーバと、該動画配信サーバが受信した動画データの容量に基づいて課金高を算定する課金処理サーバと、前記動画データに付帯されたターゲット画像を画像解析して得られた解析画像と前記動画データに共通の識別ＩＤを付与して紐付けし、前記解析画像とこれに紐付けされた識別ＩＤを解析画像データベースに蓄積する画像管理サーバとを備え、
不特定のエンドユーザが携帯移動端末を前記動画配信サーバにＵＲＬ接続するとともに、該携帯移動端末に内蔵されたカメラにより前記コンテンツ提供者が配布した印刷媒体などに付された前記ターゲット画像を撮像して前記動画配信サーバに送信したとき、該動画配信サーバが前記画像管理サーバに前記ターゲット画像を転送することにより、該画像管理サーバが当該ターゲット画像を画像分析して得られた識別ＩＤを前記動画配信サーバに返送し、該識別ＩＤに紐付けされた動画データを動画配信サーバからアクセス元である前記エンドユーザの携帯移動端末へ送信して動画の再生が可能となるようにしたことを特徴とする動画配信システム。
【請求項４】
画像管理サーバまたは動画配信サーバへＵＲＬ接続が可能となるようにしたアプリケーションソフトウエアを携帯移動端末に備えていることを特徴とする請求項１乃至請求項３のいずれかに記載の動画配信システム。
【請求項５】
前記ターゲット画像がコンテンツ提供者により配布された印刷媒体の静止画像であることを特徴とする請求項１乃至請求項３のいずれかに記載の動画配信システム。
【請求項６】
前記課金処理サーバの課金処理が期間単位でなされるようにしたことを特徴とする請求項１乃至請求項３のいずれかに記載の動画配信システム。
【請求項７】
前記課金処理サーバの課金処理がアクセス毎になされるようにしたことを特徴とする請求項１乃至請求項３のいずれかに記載の動画配信システム。
【請求項８】
複数箇所に動画配信サーバを配置し、ターゲット画像を画像分析して得られた識別ＩＤに基づいて画像管理サーバが前記動画配信サーバのいずれかにアクセス可能となるようにしたことを特徴とする請求項１または請求項２記載の動画配信システム。
【発明の詳細な説明】
【技術分野】
【０００１】  本発明は、携帯移動端末への動画データの配信システムに関するもので、コンテンツ提供者から印刷媒体などにより提供されたコンテンツのより具体的な内容を動画により配信するようにした動画配信システムに関する。
【背景技術】
【０００２】  現在、インターネットによる動画配信あるいは携帯電話機などによる携帯移動端末による動画転送は目覚ましく発展しているが、不特定のエンドユーザが動画を選択して再生するシステムはきわめて乏しい。不特定のエンドユーザへの動画の配信に関して、携帯移動端末からネットワークを介して送信されたユーザＩＤを識別し、ユーザＩＤに関連づけてデータベースに保存されている動画データを、ネットワークを介して携帯移動端末に配信するに当たってユーザ登録およびアップロード・ダウンロードを行うために２次元バーコードシールを採用するものが提案されている（特許文献１参照）。【０００３】  しかし、上記特許文献１は、携帯電話機に動画を配信する際、通信キャリアの違いを意識してコンテンツを作成し、２次元バーコードを通信キャリア毎に用意する必要があるため、配信作業が繁雑になりエンドユーザもキャリアの違いを意識する必要があり、機種の能力に応じた最適な画質で動画を送れないなどの問題があるため、これを解決するために、書籍に２次元バーコードを付して、この２次元バーコードを読み取り、読み取られた２次元バーコードに対応する動画データの配信要求をサーバに送信する手段が提案されている（特許文献２参照）。
【先行技術文献】
【０００４】
【特許文献１】特開２００７−１７４２２７
【特許文献２】特開２００９−１０５５９１
【発明の開示】
【発明が開示しようとする課題】
【０００５】  ところで、一般に企業活動の商品販売などにおけるコンテンツの提供は印刷媒体が主流となっており、静止画像により商品の内容をアピールするようにしている。このような宣伝活動には、新聞、パンフレット、ポスターあるいは通販雑誌など多くの印刷媒体が利用されるが、僅か数枚の静止画と文字情報を掲載するのみで、商品の特徴のアピールには限界がある。商品の内容をより具体的に示すには、紙数を増加する方法に止まるが、頁数や制作費の増加などの問題につながることになる。
【０００６】  しかしながら、商品の詳細を動画で簡単に提供できれば、宣伝効果を格段に向上させることができることは言うまでもなく、例えば、ある旅行地の宣伝ポスターに興味を引かれた人が、その場でさらに自身の携帯移動端末で現地を撮影した動画を受信して詳しい情報が得られれば、強いインパクトを与えることができる。また、新聞、パフレット、ポスターあるいは通販雑誌などに掲載した商品について、その場で、例えば機能説明などの動画が得られれば、エンドユーザが店頭へ赴く手間を省くことができる。
【０００７】  このような目的のために動画をダウンロードする場合は、上記特許文献１、２のように２次元バーコードを印刷媒体に付しておくのが一般的な着想である。しかしながら、上記印刷媒体に無機質な２次元バーコードを印刷しておくのは紙面デザインを低下することから好ましくなく、また、例えば通販雑誌のように掲載されている膨大な数の商品毎に２次元バーコードを付すのは現実性のない処理となる。
【０００８】  本発明は、上記課題を解決するためになされたもので、２次元バーコードのようなものを採用せず、印刷媒体のターゲット画像により動画データを指定してダウンロードが可能となるようにした動画配信システムを提供することを目的とするものである。
【課題を解決するための手段】
【０００９】  そこで本発明は、以下に述べる各手段により上記課題を解決するようにした。即ち、請求項１記載の発明では、コンテンツ提供者により任意に定めたターゲット画像を付帯した動画データを受信して蓄積する動画データベースを備えた動画配信サーバと、該動画配信サーバが受信した動画データの容量に基づいて課金高を算定する課金処理サーバと、前記動画データに付帯されたターゲット画像を画像解析して得られた解析画像と前記動画データに共通の識別ＩＤを付与して紐付けし、前記解析画像とこれに紐付けされた識別ＩＤを解析画像データベースに蓄積する画像管理サーバとを備え、不特定のエンドユーザが携帯移動端末を前記画像管理サーバにＵＲＬ接続するとともに、該携帯移動端末に内蔵されたカメラにより前記コンテンツ提供者が配布した印刷媒体などに付された前記ターゲット画像を撮像して前記画像管理サーバへ送信したとき、該画像管理サーバが当該ターゲット画像を画像分析して得られた識別ＩＤおよび前記動画配信サーバのＵＲＬを前記エンドユーザの携帯移動端末へ返送することにより、該エンドユーザの携帯移動端末が動画配信サーバのＵＲＬに切り替えて接続し、前記識別ＩＤに紐付けられた動画データを動画配信サーバに要求することにより、該動画配信サーバからアクセス元である前記エンドユーザの携帯移動端末へ当該動画データを送信して動画の再生が可能となるようにした。
【００１０】  請求項２記載の発明では、コンテンツ提供者により任意に定めたターゲット画像を付帯した動画データを受信して蓄積する動画データベースを備えた動画配信サーバと、該動画配信サーバが受信した動画データの容量に基づいて課金高を算定する課金処理サーバと、前記動画データに付帯されたターゲット画像を画像解析して得られた解析画像と前記動画データに共通の識別ＩＤを付与して紐付けし、前記解析画像とこれに紐付けされた識別ＩＤを解析画像データベースに蓄積する画像管理サーバとを備え、不特定のエンドユーザが携帯移動端末を前記画像管理サーバにＵＲＬ接続するとともに、該携帯移動端末に内蔵されたカメラにより前記コンテンツ提供者が配布した印刷媒体などに付された前記ターゲット画像を撮像し、該ターゲット画像を前記画像管理サーバに送信したとき、該画像管理サーバが当該ターゲット画像を画像分析して得られた識別ＩＤを動画配信サーバへ送信して前記識別ＩＤに紐付けられた動画データを動画配信サーバに要求することにより、画像管理サーバを介してアクセス元である前記エンドユーザの携帯移動端末へ当該動画データを送信して動画の再生が可能となるようにした
【００１１】  請求項３記載の発明では、コンテンツ提供者により任意に定めたターゲット画像を付帯した動画データを受信して蓄積する動画データベースを備えた動画配信サーバと、該動画配信サーバが受信した動画データの容量に基づいて課金高を算定する課金処理サーバと、前記動画データに付帯されたターゲット画像を画像解析して得られた解析画像と前記動画データに共通の識別ＩＤを付与して紐付けし、前記解析画像とこれに紐付けされた識別ＩＤを解析画像データベースに蓄積する画像管理サーバとを備え、不特定のエンドユーザが携帯移動端末を前記動画配信サーバにＵＲＬ接続するとともに、該携帯移動端末に内蔵されたカメラにより前記コンテンツ提供者が配布した印刷媒体などに付された前記ターゲット画像を撮像して前記動画配信サーバへ送信したとき、該動画配信サーバが前記画像管理サーバに前記ターゲット画像を転送することにより、該画像管理サーバが当該ターゲット画像を画像分析して得られた識別ＩＤを前記動画配信サーバに返送し、該識別ＩＤに紐付けされた動画データを動画配信サーバからアクセス元である前記エンドユーザの携帯移動端末へ送信して動画の再生が可能となるようにした。
【００１２】  請求項４記載の発明では、上記請求項１乃至請求項３のいずれかに記載の動画配信システムにおいて、画像管理サーバまたは動画配信サーバへＵＲＬ接続が可能となるようにしたアプリケーションソフトウエアを携帯移動端末に備えているようにする。
【００１３】  請求項５記載の発明では、上記請求項１乃至請求項３のいずれかに記載の動画配信システムにおいて、ターゲット画像がコンテンツ提供者により配布された印刷媒体の静止画像であるようにする。
【００１４】  請求項６記載の発明では、上記請求項１乃至請求項３のいずれかに記載の動画配信システムにおいて、課金処理サーバの課金処理が期間単位でなされるようにする。
【００１５】  請求項７記載の発明では、上記請求項１乃至請求項３のいずれかに記載の動画配信システムにおいて、課金処理サーバの課金処理がアクセス毎になされるようにする。
【００１６】  請求項８記載の発明では、上記請求項１または請求項２に記載の動画配信システムにおいて、複数箇所に動画配信サーバを配置し、ターゲット画像を画像分析して得られた識別ＩＤに基づいて画像管理サーバが前記動画配信サーバのいずれかにアクセス可能となるようにする。
【発明の効果】
【００１７】  本発明によれば、動画データに対し印刷媒体内のターゲット画像を画像解析し、解析画像と動画データに識別ＩＤを紐付けしてデータベースに蓄積するようにしたので、動画データを特定するために２次元バーコードなどを付帯するような予備的な作業が全く不要となり、エンドユーザがターゲット画像を携帯移動端末により撮像して送信するのみで動画を簡単にダウンロードすることができる。
【図面の簡単な説明】
【００１８】
【図１】本発明の動画配信システムの構成図（実施例１）である。
【図２】図１に示す動画配信システムの応用例の構成図である。
【図３】本発明の動画配信システムの構成図（実施例２）である。
【図４】図３に示す動画配信システムの応用例の構成図である。
【図５】本発明の動画配信システムの構成図（実施例３）である。
【図６】本発明の動画配信システムの動画登録の処理の流れを示す図である。
【図７】図１の動画配信システムの動画ダウンロードの処理の流れを示す図である。
【図８】図３の動画配信システムの動画ダウンロードの処理の流れを示す図である。
【図９】図５の動画配信システムの動画ダウンロードの処理の流れを示す図である。
【発明を実施するための形態】
【００１９】  本発明の実施形態を図に基づいて以下に説明する。本発明の動画配信システムの基本となる構成の実施例１を図１に、実施例２を図３に、実施例３を図５に示す。各実施例において、動画配信サーバ１、課金処理サーバ２、画像管理サーバ３がシステムの主体となり、スタンドアローンで構成することもできるが、それぞれを離間して遠隔配置する場合は、動画配信サーバ１に課金処理サーバ２および画像管理サーバ３が情報通信ネットワークにより常時接続され、データの授受が可能となるようにする。
【００２０】  また、本発明は以下の実施例において説明するごとく、エンドユーザの携帯移動端末６ａ、６ｂ・・・６ｎをシステムの要件とするものであるが、この携帯移動端末６ａ、６ｂ・・・６ｎには予めシステムの管理者のホームページなどから、例えば画像管理サーバ３へＵＲＬ（Ｕｎｉｆｏｒｍ  Ｒｅｓｏｕｒｃｅ  Ｌｏｃａｔｏｒ）接続するためのアプリケーションソフトウエアをダウンロードしておく。そして、通信を開始する場合は、携帯移動端末６ａ、６ｂ・・・６ｎの画面にＵＲＬアイコンを表示させ、これに触れることによりＵＲＬ接続が可能となるようにしておく。
【００２１】  前記動画配信サーバ１には動画データを蓄積するための動画データベースＤＢ１を備える。動画配信サーバ１は、複数のコンテンツ提供者（顧客）４ａ、４ｂ・・・４ｎから受信した動画データに対し、住所、氏名、電話番号、クレジット番号など、顧客を特定する顧客情報付与処理を行う。前記顧客の種類は、法人、個人のいずれをも対象とするもので、顧客は動画配信サーバ１への動画の登録にあたり、動画データとこの動画データを特定するために付帯させるターゲット画像ＴＰ１、ＴＰ２〜ＴＰｎとなる静止画像を同時に送信する。
【００２２】  つぎに、前記課金処理サーバ２は、動画配信サーバ１が受信した動画の例えば、再生時間を基準として課金高を算出し、当該顧客に対するクレジット決済、請求書の発行などの課金処理を行い、課金処理の結果を課金データベースＤＢ２に蓄積する。前記動画の再生時間は動画配信サーバ１においてなされ、その時間データと顧客情報を課金処理サーバ２へ同時に送信するようにしている。なお、課金態様は、動画データベースＤＢ１への蓄積期間、あるいは特定の動画へのアクセス毎に算出するようにしてもよく、課金態様は限定されない。課金処理サーバ２において課金処理が終了すると、この課金処理サーバ２は動画配信サーバ１へ動画配信許可信号を送出する。
【００２３】  一方、画像管理サーバ３は、動画配信サーバ１から送られてきた静止画のターゲット画像ＴＰ１、ＴＰ２〜ＴＰｎを画像解析して識別ＩＤを付与するとともに、解析画像と識別ＩＤを紐付けして解析画像データベース３ａに蓄積する。
【００２４】  つぎに、以上のように構築された本発明の動画配信システムにおける実際の処理の流れを以下に説明する。図６において、不特定のコンテンツ提供者４ａ、４ｂ・・・４ｎのいずれかが印刷媒体（ポスター、パンフレットなど）を作成するとともに、この印刷媒体５ａ、５ｂ・・・５ｎに掲示する広告内容（本実施例では新型の自動車とする）を宣伝する動画を作成する（ステップＳａ１）。そして、作成した印刷媒体５ａ、５ｂ・・・５ｎを市場に配布するとともに、作成した動画データと前記印刷媒体５ａ、５ｂ・・・５ｎの特徴的部分（例えば、自動車の全景）をターゲット画像ＴＰ１とする静止画データを同時に動画配信サーバ１へ転送する（ステップＳａ２）。
【００２５】  このときコンテンツ提供者は、データの送信にあたり上述した顧客情報を合わせて送信するか、予め会員登録システムを構築しておいて、ＩＤ番号、パスワードを入力するようにしておいてもよい。このようにして作成された動画データと静止画データを動画配信サーバ１が受信すると（ステップＳａ３）、動画配信サーバ１は動画データの再生時間を算出し、その時間データとともに顧客情報を課金処理サーバ２へ転送する。
【００２６】  前記課金処理サーバ２は、動画配信サーバ１から時間データと顧客情報を受信したと判断すると（ステップＳａ４）、課金高を算出し、顧客に対するクレジット処理または請求書の発行を行う（ステップＳａ５）。
【００２７】  一方、ステップＳａ３において動画データと静止画データを受信した動画配信サーバ１は、静止画データのみを画像管理サーバ３へ転送し、動画配信サーバ１は画像管理サーバ３からの応答に待機する。画像管理サーバ３は、動画配信サーバ１からの静止画データを受信したと判断すると（ステップＳａ６）、当該静止画データのターゲット画像ＴＰ１の画像解析を行うとともに、解析画像に識別ＩＤを付与し（ステップＳａ７）、この解析画像と識別ＩＤを紐付けして解析画像データベース３ａに蓄積する（ステップＳａ８）。
【００２８】  前記画像管理サーバ３は、解析画像と識別ＩＤの解析画像データベース３ａへの蓄積処理を行うとともに、識別ＩＤを動画配信サーバ１へ転送する（ステップＳａ９）。そして、識別ＩＤを受信した動画配信サーバ１は、この識別ＩＤを当該動画データに紐付けして動画データベースに蓄積し（ステップＳａ１０）、動画配信の準備が完了する。
【実施例１】
【００２９】  つぎに、以上のようにして動画配信サーバ１に蓄積された動画データを不特定のエンドユーザの携帯移動端末６ａ、６ｂ・・・６ｎにダウンロードするようにした図１に示す実施例１の処理の流れを図７に基づいて説明する。例えば、エンドユーザが印刷媒体（ポスター）５ａに興味を引かれ、印刷媒体５ａ内にターゲット画像ＴＰ１として指定された自動車の写真を携帯移動端末６ａにより撮像するとともに、ＵＲＬアイコンに触れて画像管理サーバ３と通信を開始する（ステップＳｂ１）。【００３０】  前記画像管理サーバ３が携帯移動端末６ａからのターゲット画像ＴＰ１を受信したと判断すると（ステップＳｂ２）、そのターゲット画像ＴＰ１と携帯移動端末６ａのＵＲＬを記憶する。これと同時に画像管理サーバ３は携帯移動端末６ａに対して、例えば「動画送信の準備をしています。暫くお待ちください。」などのようなメッセージを送信するようにしてもよい。【００３１】  ステップＳｂ２でターゲット画像ＴＰ１を受信した画像管理サーバ３は、受信したターゲット画像ＴＰ１を解析し（ステップＳｂ３）、この解析画像に一致する解析画像データベースＤＢ３に蓄積されている解析画像を検索する（ステップＳｂ４）。画像管理サーバ３において一致する解析画像が抽出されると（ステップＳｂ５）、その解析画像に紐付けされている識別ＩＤと動画配信サーバ１のＵＲＬを携帯移動端末６ａに転送する（ステップＳｂ６）。【００３２】  前記識別ＩＤを受信した携帯移動端末６ａは、アプリケーションソフトウエアのＵＲＬ切替機能により動画配信サーバ１へＵＲＬ接続し、前記識別ＩＤを送信して動画データの転送を要求する（ステップＳｂ７）。前記識別ＩＤを受信した動画配信サーバ１は、この識別ＩＤから動画データベースＤＢ１に蓄積されている動画テータを抽出して携帯移動端末６ａへ転送し（ステップＳｂ８）、携帯移動端末６ａにおける動画の再生が開始される（ステップＳｂ９）。【００３３】  図２は、本発明の実施例１の発展的構成を示す応用例であり、複数の動画配信サーバ１ａ、１ｂ・・・１ｎを備えるようにしたもので、国内外の遠隔地に配置される場合を想定したものである。この場合、各動画配信サーバ１ａ、１ｂ・・・１ｎにはコンテンツ提供者４ａ、４ｂ・・・４ｎが同様に接続し、動画データおよびターゲット画像が提供されることになるが、ターゲット画像の解析は画像管理サーバ３のみで行う。【００３４】  これにより解析画像が画像管理サーバ３において一括管理されることになるので、識別ＩＤから対応する動画データが何れの動画配信サーバに蓄積されているかを直ちに判断することができ、該当する動画配信サーバとの交信が可能となる。したがって、このように構成することにより、エンドユーザからの動画配信の要求が１カ所の動画配信サーバに集中することがなくなるので、動画の転送速度の低下などの問題を回避することができる。
【実施例２】
【００３５】  上記実施例１に記載の処理の流れは、携帯移動端末６ａ、６ｂ・・・６ｎと画像管理サーバ３と動画配信サーバ１の双方にＵＲＬ接続を切り替えて動画データのダウンロードを行うようにしたものであるが、携帯移動端末６ａ、６ｂ・・・６ｎと画像管理サーバ３のみのＵＲＬ接続により動画データをダウンロードするようにした図３に示す実施例２の処理の流れを図８に基づいて説明する。【００３６】  実施例２の場合においても、携帯移動端末６ａにより印刷媒体５ａ内のターゲット画像ＴＰ１として指定された自動車の写真を撮像するとともに、ＵＲＬアイコンに触れて画像管理サーバ３と通信を開始する（ステップＳｃ１）。前記画像管理サーバ３が携帯移動端末６ａからのターゲット画像ＴＰ１を受信したと判断すると（ステップＳｃ２）、画像管理サーバ３は受信したターゲット画像ＴＰ１を画像解析し（ステップＳｃ３）、この解析画像に一致する解析画像データベースＤＢ３に蓄積されている解析画像を検索する（ステップＳｃ４）。【００３７】  画像管理サーバ３において一致する解析画像が抽出されると（ステップＳｃ５）、その解析画像に紐付けされている識別ＩＤを動画配信サーバ１へ転送する（ステップＳｃ６）。前記識別ＩＤを受信した動画配信サーバ１は、この識別ＩＤから動画データベースＤＢ１に蓄積されている動画データを抽出し、画像管理サーバ３へ転送する（ステップＳｃ７）。このようにして動画データを受信した画像管理サーバ３は、通信網を介して携帯移動端末６ａへ動画データの送信を開始し（ステップＳｃ８）、携帯移動端末６ａで動画の再生が開始される（ステップＳｃ９）。【００３８】  図４は、本発明の実施例２の発展的構成を示す応用例であり、実施例１の応用例と同様に複数の動画配信サーバ１ａ、１ｂ・・・１ｎを備えるようにしたものである。この場合においても、各動画配信サーバ１ａ、１ｂ・・・１ｎにはコンテンツ提供者４ａ、４ｂ・・・４ｎが同様に接続され、動画データおよびターゲット画像が提供されることになるが、ターゲット画像の解析は画像管理サーバ３のみで行う。【００３９】  実施例２の場合においても、解析画像が画像管理サーバ３において一括管理されることになるので、識別ＩＤから対応する動画データが何れの動画配信サーバに蓄積されているかを直ちに判断することができ、該当する動画配信サーバとの交信が可能となり、動画の転送速度の低下などの問題を回避することができる。
【実施例３】
【００４０】  上記実施例１、２は携帯移動端末６ａ、６ｂ・・・６ｎが画像管理サーバ３と交信してなされるようにしたものであるが、動画配信サーバ１との交信により本発明のシステムを構成することも可能であり、図５に示す実施例３の処理の流れを図９に基づいて以下に説明する。【００４１】  実施例３の場合においても、携帯移動端末６ａにより印刷媒体５ａ内のターゲット画像ＴＰ１として指定された自動車の写真を撮像するとともに、ＵＲＬアイコンに触れてＵＲＬ接続先に定められた動画配信サーバ１と通信を開始する（ステップＳｄ１）。前記動画配信サーバ１が携帯移動端末６ａからのターゲット画像ＴＰ１を受信したと判断すると（ステップＳｄ２）、動画配信サーバ１は受信したターゲット画像ＴＰ１を画像管理サーバ３へ転送する（ステップＳｄ３）。【００４２】  画像管理サーバ３は受信したターゲット画像ＴＰ１を画像解析し（ステップＳｄ４）、この解析画像に一致する解析画像データベースＤＢ３に蓄積されている解析画像を検索する（ステップＳｄ５）。このようにして画像管理サーバ３において一致する解析画像が抽出されると（ステップＳｄ６）、その解析画像に紐付けされている識別ＩＤを動画配信サーバ１へ転送する（ステップＳｄ７）。【００４３】  前記識別ＩＤを受信した動画配信サーバ１は、この識別ＩＤから動画データベースＤＢ１に蓄積されている動画データを抽出し、通信網を介して携帯移動端末６ａへ送信を開始し（ステップＳｄ８）、携帯移動端末６ａで動画の再生が開始される（ステップＳｃ９）。
以上説明したごとく、実施例３による構成の場合は動画配信サーバ１を複数備えるものではないが、簡易な構成でシステムの構築が可能となる。【００４４】  本発明の動画配信システムは以上のように構成され、携帯移動端末における動画の再生は、動画ストリーミングにより行うことにより携帯移動端末に補助メモリを増設する必要はなく、円滑な再生が可能となる。なお、エンドユーザに対し印刷媒体のターゲット画像へ注意を促すために、マークを表示またはテキストで記述標記をしておいてもよい。【００４５】  以上の説明は本発明を商業的に利用した場合を実施例としているが、個人的な利用についても全く同様の手順で対応することができる。例えば、家族の動画を作成し、この動画と特定の写真を動画配信サーバ１に登録した後、前記写真を郵送などで受領した知人が、その写真を携帯移動端末で撮影するのみで、前記動画の再生が開始されることになる。したがって、複雑な情報機器の操作に不慣れな高齢者などにも簡単に動画再生をすることができ、多岐に亘る用途の開発が可能となる。
【符号の説明】
【００４６】  １・・・・・・・動画配信サーバ
ＤＢ１・・・・・動画データベース
２・・・・・・・課金処理サーバ
ＤＢ２・・・・・課金データベース
３・・・・・・・画像管理サーバ
ＤＢ３・・・・・解析画像データベース
４ａ〜４ｎ・・・コンテンツ提供者
５ａ〜５ｎ・・・印刷媒体
６ａ〜６ｎ・・・携帯移動端末
ＴＰ１〜ＴＰｎ・・・ターゲット画像
【図１】
2014045468.tif 000003
【図２】
2014045468.tif 000004
【図３】
2014045468.tif 000005
【図４】
2014045468.tif 000006
【図５】
2014045468.tif 000007
【図６】
2014045468.tif 000008
【図７】
2014045468.tif 000009
【図８】
2014045468.tif 000010
【図９】
2014045468.tif 000011